(57)【特許請求の範囲】
【請求項１】
盤の扉面に配備して盤内に設置した回路しゃ断器を盤外から開閉操作する扉マウント形の外部操作ハンドル装置であって、
盤扉に取付けたボディにガイド支持した回転操作式のハンドルと、該ハンドルの前部に形成した凹所内に収容して出没可能に軸支したロックレバーと、該ロックレバーの引出し操作に連動してハンドルをＯＮ，ないしＯＦＦ位置に鎖錠するロックピンとの組合せからなり、
前記ロックレバーはその周縁にカム面を形成した半月形状からなる樹脂成形品であり、前記ロックピンは前記カム面にピンの一端を押し当ててピン先端をボディ側に形成したピン係止穴へ向けて出没するよう復帰ばねと組合せてハンドルの内部にガイド支持されており、前記ロックレバーの引出し操作により前記カム面でロックピンをピン係止穴に係止させるとともに、
前記ロックレバーの側壁にばね性を持たせて先端の突起を側方に突き出すストッパ片を一体成形し、ハンドルの凹所内壁面には前記ストッパ片の先端突起が嵌入してロックレバーを没入，および引出し位置に拘束保持する凹溝を形成し、前記ロックレバーの没入，および引出し位置で前記ストッパ片の先端突起を前記凹溝に嵌入させるようにしたことを特徴とする回路しゃ断器の外部操作ハンドル装置。
【発明の詳細な説明】
【０００１】
【発明の属する技術分野】
本発明は、配電盤，制御盤などの盤内に設置した配線用回路しゃ断器など回路しゃ断器を盤外から開閉操作するようにした扉マウント形のロック機能付き外部操作ハンドル装置に関する。
【０００２】
【従来の技術】
まず、従来における頭記のロック機能付き外部操作ハンドル装置の構造を図６に示す。図において、１は配電盤の扉、２は盤内に設置した回路しゃ断器（配線用しゃ断器，漏電しゃ断器など）、３が回路しゃ断器２を盤外から開閉操作する盤マウント形の外部操作ハンドル装置である。
【０００３】
ここで、外部操作ハンドル装置３は、回転操作式のハンドル４が配電盤の扉１に取付けたボディ５にガイド支持されており、かつハンドル４の前部に形成した凹所４ａの内部には略Ｌ字形のロックレバー６が出没可能に組み込まれている。このロックレバー６は支軸６ａを介してハンドル４に軸支されており、その一端には爪部６ｂを形成し、他端側には南京錠８を引っ掛ける掛け穴６ｃを開口した上でハンドル４との間に介装した復帰ばね（圧縮ばね）７により実線で示す没入位置（ロック釈放位置）にばね付勢されている。
【０００４】
かかる構成で、ハンドル４を回路しゃ断器２のＯＮ，ないしＯＦＦ位置に回転した状態でロックレバー６をハンドル４の凹所４ａから図示鎖線で示す位置に引き出すと支軸６ａを支点に時計方向に回転し、爪部６ｂがボディ５の内周上に形成した係止溝５ａに嵌まり込んでハンドル４がこの位置から回らないように鎖錠する。また、ロックレバー６を引出した位置で穴６ｃに南京錠８を掛けるか、あるいは簡易的なロックの場合には簡易ロック部材であるクリップなどの治具を掛けることにより、ロックレバー６は引出し位置に拘束保持される。これにより、安全管理面でハンドルの不用意な操作ミスを防ぐことができる。
【０００５】
【発明が解決しようとする課題】
ところで、前記したロック機能付き外部操作ハンドル装置の従来構造では、ロックレバーの操作，取扱い面で次に記すような不具合がある。
すなわち、ロックレバー６は復帰ばね７で没入位置に戻るようにばね付勢されており、ハンドル４からロックレバー６を引出しても、南京錠８，クリップなどの治具を引っ掛けて引出し位置に拘束保持しない限りは、ロックレバー６から手を放すと没入位置に自動復帰してしまう。このために、南京錠８などの治具を使わずにロックレバー６を引出し位置に保持してハンドル４を仮ロックできるようにするユーザーの要求に対して、従来構造のままでは対応できない。
【０００６】
本発明は上記の点に鑑みなされたものであり、その目的は前記課題を解決し、南京錠などの治具を使わないでもロックレバーを引出し位置に保持してハンドルをＯＮ，ＯＦＦ位置に仮ロックできるようにした取扱性に便宜な回路しゃ断器の外部操作ハンドル装置を提供することにある。
【０００７】
【課題を解決するための手段】
上記目的を達成するために、本発明によれば、配電盤などの盤扉に取付けたボディにガイド支持した回転式のハンドルと、該ハンドルに形成した凹所に収容して出没可能に軸支したロックレバーと、該ロックレバーの引出し操作に連動してハンドルをＯＮ，ないしＯＦＦ位置に鎖錠するロックピンとの組合せからなるロック機能付き外部ハンドル装置において、
前記ロックレバーはその周縁にカム面を形成した半月形状からなる樹脂成形品であり、前記ロックピンは前記カム面にピンの一端を押し当ててピン先端をボディ側に形成したピン係止穴へ向けて出没するよう復帰ばねと組合せてハンドルの内部にガイド支持されており、前記ロックレバーの引出し操作により前記カム面でロックピンをピン係止穴に係止させるとともに、前記ロックレバーの側壁にばね性を持たせて先端の突起を側方に突き出すストッパ片を一体成形し、ハンドルの凹所内壁面には前記ストッパ片の先端突起が嵌入してロックレバーを没入，および引出し位置に拘束保持する凹溝を形成し、前記ロックレバーの没入，および引出し位置で前記ストッパ片の先端突起を前記凹溝に嵌入させるように構成する。
【０００８】
かかる構成により、ロックレバーの没入位置（ハンドルのロック釈放），および引出位置（ハンドルのロック）では、ロックレバーに形成したストッパ片の先端突起がハンドル側に形成した凹溝に嵌入してその位置から簡単にずれ動かないように拘束保持される。これにより、南京錠などの治具を使わないでも必要時にロックレバーを引出し位置に仮保持してハンドルを回らないようにロックすることができる。
【０００９】
また、ロックピンをロックレバーの半月状周縁に形成したカム面に押し当ててハンドルにガイド支持したことにより、ロックピンの復帰ばねに押し戻されることなしにロックレバーを引出し位置に保持することができ、かつロックピンも円滑に作動させることができる。
【００１０】
【発明の実施の形態】
以下、本発明の実施の形態を図１〜図５に示す実施例に基づいて説明する。なお、実施例の図中で図６に対応する部材には同じ符号が付してある。
図示実施例の構成では、ボディ５にガイド支持された回転操作式のハンドル４に対し、その前部に形成した凹所４ａの内部には周縁にカム面を形成した略半月状になるロックレバー６が支軸６ａを介して組み込まれており、ハンドル４の後部にはロックレバー６の引出し操作に連動して作動するロックピン９が復帰ばね９ａと組合せて組み込まれている。また、ボディ５の後面側にロック板５ｂを配備し、このロック板５ｂには前記ロックピン９の先端に対向してハンドル４のＯＮ，ＯＦＦ位置に対応するピン係止穴５ｃが形成されている。なお、１０はハンドル４と回路しゃ断器（図６参照）との間を連結する軸である。
【００１１】
ここで、ロックレバー６の構造を図４(a),(b) に示す。すなわち、ロックレバー６はその外形が略半月状になる樹脂成形品で、左右に突き出した支軸６ａ，南京錠の掛け止め穴６ｃに加えて、レバー側壁にはばね性を持たせてその先端の突起６ｄ-1が側方に突き出すようにしたストッパ片６ｄが一体成形されており、さらに半月状の周縁にカム面６ｅを形成した構造になる。
【００１２】
一方、ハンドル４は、図５(a),(b) で示すようにその前部に底面が円弧状を呈した凹所４ａが形成され、この凹所内の側壁面には前記ロックレバー６の支軸６ａが嵌合する軸受穴４ｄ、およびストッパ片６ｄの突起６ｄ-1が嵌入する凹溝４ｂ，４ｃが左右二箇所に振り分けて形成してあり、さらに前記凹所４ａの底面に連ねてハンドル後部の偏芯位置にロックピン９（図１参照）の挿入穴４ｅが形成された構造になる。なお、凹所４ａはその一端（図の右端側）を開放して凹所内に挿入したロックレバー６の端部を突き出すようにし、ロックレバーに指先を掛けて引出し操作できるようにしている。
【００１３】
そして、図１(b) に示す外部ハンドル装置３の組立状態で、ロックレバー６を図示実線で示す没入位置に押し込んでハンドル４の凹所４ａ内に引っ込めると、ロックピン９が復帰ばね（圧縮ばね）９ａのばね付勢を受けてハンドル４の内方に後退する。したがって、この状態ではハンドル４をＯＮ，ＯＦＦ位置に自由に回すことが可能である。また、この没入位置ではロックレバー６に形成したストッパ片６ｄの突起６ｄ-1がハンドル側の凹溝４ｂに嵌入して食い込み、ロックレバー６をこの没入位置から簡単に抜け出ないように拘束保持する。
【００１４】
一方、ハンドル４のＯＮ，ないしＯＦＦ位置で、ロックレバー６を図１(b) の実線位置から鎖線で表す引出し位置に揺動操作すると、ロックピン９がロックレバー６のカム面６ｅに押されてピン先端がハンドル４の背後に突き出してロック板５ｂのピン係止穴５ｃに係止される。したがって、ハンドル４はこの位置から回せないようにロックされる。また、この状態ではロック片６ｄの先端突起６ｄ-1がハンドル側の凹溝４ｃに嵌入してロックピン９から加わる復帰ばね９ａのばね力を受け止めるので、ロックレバー６がこの位置に拘束保持される。
【００１５】
したがって、ロックレバー６を引き出し操作して後にレバーから手を離しても、従来構造のようにロックレバー６が没入位置に自動復帰することがなく、この状態で図２で示すように南京錠８を掛けて鎖錠すれば、ハンドル４がこの位置に完全ロックされる。また、図３で示すように南京錠を掛けずに放置しても、ハンドル４を仮ロック状態に保持することができるので、簡易ロック部材などの別部品を用いなくても簡易的なハンドルロックが可能となる。
【００１６】
【発明の効果】
以上述べたように、本発明によれば、配電盤などの盤扉に取付けたボディにガイド支持した回転式のハンドルと、該ハンドルに形成した凹所に収容して出没可能に軸支したロックレバーと、該ロックレバーの引出し操作に連動してハンドルをＯＮ，ないしＯＦＦ位置に鎖錠するロックピンとの組合せからなるロック機能付き外部ハンドル装置において、
前記ロックレバーはその周縁にカム面を形成した半月形状からなる樹脂成形品であり、前記ロックピンは前記カム面にピンの一端を押し当ててピン先端をボディ側に形成したピン係止穴へ向けて出没するよう復帰ばねと組合せてハンドルの内部にガイド支持されており、前記ロックレバーの引出し操作により前記カム面でロックピンをピン係止穴に係止させるとともに、前記ロックレバーの側壁にばね性を持たせて先端の突起を側方に突き出すストッパ片を一体成形し、ハンドルの凹所内壁面には前記ストッパ片の先端突起が嵌入してロックレバーを没入，および引出し位置に拘束保持する凹溝を形成し、前記ロックレバーの没入，および引出し位置で前記ストッパ片の先端突起を前記凹溝に嵌入させるように構成したことにより、ロックレバーの没入位置（ハンドルのロック釈放），および引出位置（ハンドルのロック）では、ロックレバーに形成したストッパ片の先端突起がハンドル側に形成した凹溝に嵌入してロックレバーをその位置に保持することができる。したがって、南京錠などの治具を使わないでも必要時にロックレバーを引出し位置に仮保持してハンドルを回らないようにロックすることができる。
【００１７】
これにより、南京錠などの治具を使わずにロックレバーを引出し位置に保持してハンドルを仮ロックできるようにするユーザーの要求にも対応が可能で取扱性に便宜な外部操作ハンドル装置を提供することができる。
【図面の簡単な説明】
【図１】本発明の実施例による外部操作ハンドル装置の構成図であり、(a) は正面図、(b) は(a) 図の矢視Ｘ−Ｘ断面図
【図２】図１の構成でハンドルからロックレバーを引出して南京錠を掛けたハンドルロックの状態を表す図
【図３】図２でロックレバーに南京錠を掛けないハンドルの仮ロック状態を表す図
【図４】図１におけるロックレバーの構造図であり、(a) は正面図、(b) は側面図
【図５】図１におけるハンドルの構造図であり、(a) は正面図、(b) は(a) 図の矢視Ｙ−Ｙ断面図
【図６】外部操作ハンドル装置の従来例の構成断面図
【符号の説明】
１    配電盤の扉
２    回路しゃ断器
３    外部操作ハンドル装置
４    ハンドル
４ａ  凹所
４ｂ，４ｃ  凹溝
４ｅ  ピン挿入穴
５    ボディ
５ｂ  ロック板
５ｃ  ピン係止穴
６    ロックレバー
６ａ  支軸
６ｃ  南京錠の掛け穴
６ｄ  ストッパ片
６ｄ-1  突起
６ｅ  カム面
【図１】
0003985421.tif 000002
【図２】
0003985421.tif 000003
【図３】
0003985421.tif 000004
【図４】
0003985421.tif 000005
【図５】
0003985421.tif 000006
【図６】
0003985421.tif 000007